(57)【要約】【課題】収納箱を小型化できる蓄電システムを提供する。【解決手段】収納箱１００は、前面に開口部１０１を有する直方体状に形成され、左右方向に並んだ第１収納室１１０と第２収納室１２０とを有する。第１収納室１１０には電力変換装置２０が収納される。第１収納室１１０において、電力変換装置２０の下側には、外部回路と電力変換装置２０との間を電気的に接続する外部配線を収納する外部配線スペース１１１がある。第２収納室１２０は、上下方向に並んだ上側収納室１２１と下側収納室１２２とを含む。上側収納室１２１及び下側収納室１２２の各々は、最大２つの蓄電池モジュール１０を前後方向に並べて収納可能である。【選択図】図１
2016219283.tif 000002
【特許請求の範囲】
【請求項１】
蓄電池を有する蓄電池モジュールと、
前記蓄電池モジュールに電気的に接続される電力変換装置と、
前面に開口部を有し前記蓄電池モジュールと前記電力変換装置とを収納する収納箱とを備え、
前記収納箱は、左右方向に並んだ第１収納室と第２収納室とを有し、
前記第１収納室には前記電力変換装置が収納され、前記第２収納室には前記蓄電池モジュールが収納され、
前記第１収納室は、前記電力変換装置の上側又は下側に、前記電力変換装置と外部配線とを電気的に接続する外部配線スペースを有し、
前記第２収納室は、上下方向に並ぶ上側収納室と下側収納室とを備え、
前記上側収納室及び前記下側収納室の各々は、前記蓄電池モジュールを前後方向に複数個並べて収納可能な電池収納スペースを有することを特徴とする蓄電システム。
【請求項２】
前記収納箱は、前記第１収納室と前記第２収納室との間に隔壁を有し、
前記第２収納室は、前記隔壁と前記電池収納スペースとの間に、前記電力変換装置と前記蓄電池モジュールとを電気的に接続する内部配線が配置される内部配線スペースを更に有することを特徴とする請求項１に記載の蓄電システム。
【請求項３】
前記第１収納室は、前記電力変換装置の下側に前記外部配線スペースを有し、
前記隔壁は、前記第１収納室と前記第２収納室との間で前記内部配線を通すように貫通した通線部を上部に有することを特徴とする請求項２に記載の蓄電システム。
【請求項４】
前記外部配線に設けられた第１コネクタが着脱自在に接続される第２コネクタが前記外部配線スペースの上部に配置され、
前記第２コネクタにおいて前記第１コネクタを接続する面の法線方向が前方下向きとなるように前記第２コネクタが設けられたことを特徴とする請求項１〜３のいずれか１項に記載の蓄電システム。
【請求項５】
前記電力変換装置は第１接続部とインバータ部と第２接続部とコイル部品とを有し、
前記第１接続部は、前記外部配線と前記インバータ部との間で電力の受け渡しを行い、
前記第２接続部は、前記蓄電池モジュールと前記インバータ部との間で電力の受け渡しを行い、
前記インバータ部は、前記外部配線及び前記第１接続部を介して入力された交流電力を直流電力に変換した後に前記第２接続部を介して前記直流電力を前記蓄電池モジュールに出力する動作と、前記蓄電池モジュールから前記第２接続部を介して入力された直流電力を交流電力に変換した後に前記第１接続部及び前記外部配線を介して前記交流電力を出力する動作とが可能なように構成され、
前記第１接続部と前記インバータ部と前記第２接続部とは、前記第１収納室において、前記外部配線スペースに近い位置から前記第１接続部、前記インバータ部、前記第２接続部の順番で、上下方向に並ぶように配置され、
前記コイル部品は、前記インバータ部の左側又は右側に配置されたことを特徴とする請求項１〜４のいずれか１項に記載の蓄電システム。
【請求項６】
前記電力変換装置はコントローラを更に備え、
前記コントローラは、前記インバータ部の動作を制御する制御機能と通信機能とを有し、
前記コントローラは、前記第１収納室の内部において、前記第１接続部、前記インバータ部及び前記第２接続部よりも前側に配置されたことを特徴とする請求項５に記載の蓄電システム。
【請求項７】
前記電力変換装置がヒートシンクとベース部材とを更に備え、
前記インバータ部が実装された回路基板と、前記コイル部品とが、それぞれ前記ヒートシンクに熱的に結合された状態で取り付けられ、
前記コントローラが前記ベース部材の前側に取り付けられ、
前記ヒートシンクに取り付けられた前記回路基板及び前記コイル部品が前記ベース部材の後側に配置されたとを特徴とする請求項６に記載の蓄電システム。
【請求項８】
前記電力変換装置がカバーを更に備え、
前記カバーは箱型に形成されて、前記第１接続部と前記インバータ部と前記第２接続部と前記コントローラとを覆っており、
前記カバーの前面には、前記コントローラの調整部位に対応して、前記カバーを貫通する貫通部が設けられたことを特徴とする請求項６又は７に記載の蓄電システム。
【請求項９】
前記カバーの上部及び下部にはそれぞれ通気孔が設けられたことを特徴とする請求項８に記載の蓄電システム。
【請求項１０】
前記カバーの上部及び下部にそれぞれ設けられた通気孔のうち少なくとも１つの前記通気孔には前記カバー内の空気を上側に流す送風装置が取り付けられ、
前記カバーには前記送風装置の取付面に係合孔が設けられ、
前記送風装置のケースは、前記カバーにおける前記係合孔の周縁部分と掛かり合う係合爪を有し、
前記係合孔は、前記係合孔の一端部に挿入された前記係合爪が前記係合孔の他端部へとスライド移動することで、前記カバーにおける前記係合孔の周縁部分に前記係合爪が掛かり合うような形状に形成されたことを特徴とする請求項８に記載の蓄電システム。
【請求項１１】
前記収納箱に着脱自在に取り付けられ、前記収納箱に取り付けられた状態で前記開口部を閉塞する蓋を更に備え、
前記収納箱は、前記開口部の周縁部分から前方に突出する側板部と、前記側板部の前端部より前記開口部から離れる向きに突出するフランジ部とを有し、
前記蓋は、上端部から後向きに突出する突出片と、前記突出片から下向きに突出する突起部とを有し、前記蓋の前板部分と前記突起部との間の隙間に前記フランジ部が挿入された状態で前記収納箱に取り付けられることを特徴とする請求項１〜９のいずれか１項に記載の蓄電システム。
【発明の詳細な説明】
【技術分野】
【０００１】
本発明は、蓄電システムに関し、より詳細には、蓄電池モジュールを収納しており所定の設置場所に据え置いて使用される定置型の蓄電システムに関する。
【背景技術】
【０００２】
従来、４個の電池モジュール（蓄電池モジュール）と、パワーコンディショナ（電力変換装置）と、４個の電池モジュール及びパワーコンディショナを収納する収納ケース（収納箱）とを備えた蓄電システムがあった（例えば特許文献１参照）。この蓄電システムでは、収納ケースの下部に４個の電池モジュールが収納され、収納ケースの上部にパワーコンディショナと制御部が収納されている。電池モジュールは薄型の直方体形状に形成されており、４個の電池モジュールは、厚み方向を前後方向と一致させるようにして、収納ケースに収納されている。また、パワーコンディショナと制御部とは、収納ケースの上部に、上下方向に間隔を空けて収納されている。
【先行技術文献】
【特許文献】
【０００３】
【特許文献１】特開２０１２−９３１０号公報
【発明の概要】
【発明が解決しようとする課題】
【０００４】
特許文献１の蓄電システムでは、収納ケースの下部に４個の電池モジュールが収納され、収納ケースの上部にパワーコンディショナと制御部とが上下方向に間隔を空けて収納されているので、収納ケースの高さ方向寸法が大きくなるという問題がある。また、４個の電池モジュールは厚み方向を前後方向と一致させるようにして収納ケースに収納されているので、収納ケースの前後方向寸法が大きくなるという問題もある。
【０００５】
蓄電システムが、例えば戸建て住宅の屋外に設置される場合、収納ケースが目立たないように、収納ケースの高さ方向寸法や前後方向寸法をなるべく小さくしたいという要望がある。
【０００６】
本発明は上記課題に鑑みてなされ、収納箱を小型化することができる蓄電システムを提供することを目的とする。
【課題を解決するための手段】
【０００７】
本発明の蓄電システムは、蓄電池を有する蓄電池モジュールと、前記蓄電池モジュールに電気的に接続される電力変換装置と、前面に開口部を有し前記蓄電池モジュールと前記電力変換装置とを収納する収納箱とを備え、前記収納箱は、左右方向に並んだ第１収納室と第２収納室とを有し、前記第１収納室には前記電力変換装置が収納され、前記第２収納室には前記蓄電池モジュールが収納され、前記第１収納室は、前記電力変換装置の上側又は下側に、前記電力変換装置と外部配線とを電気的に接続する外部配線スペースを有し、前記第２収納室は、上下方向に並ぶ上側収納室と下側収納室とを備え、前記上側収納室及び前記下側収納室の各々は、前記蓄電池モジュールを前後方向に複数個並べて収納可能な電池収納スペースを有することを特徴とする。
【発明の効果】
【０００８】
本発明の蓄電システムによれば収納箱を小型化することができる。
【図面の簡単な説明】
【０００９】
【図１】実施形態の蓄電システムを構成する蓄電装置の蓋が外された状態の斜視図である。
【図２】実施形態の蓄電システムを構成する蓄電装置の蓋が外された状態の正面図である。
【図３】実施形態の蓄電システムを構成する蓄電装置の図２におけるＢ１−Ｂ１断面図である。
【図４】実施形態の蓄電システムを構成する蓄電装置の図２におけるＢ２−Ｂ２断面図である。
【図５】実施形態の蓄電システムを構成する蓄電装置の蓋が外された状態で上部を省略した斜視図である。
【図６】図６Ａは実施形態の蓄電システムが備える電力変換装置の一部を取り外した状態の斜視図であり、図６Ｂは実施形態の蓄電システムが備える電力変換装置の全体の斜視図である。
【図７】実施形態の蓄電システムを構成する蓄電装置の図２におけるＢ３−Ｂ３断面図である。
【図８】実施形態の蓄電システムが備える電力変換装置を上側から見た分解斜視図である。
【図９】実施形態の蓄電システムが備える電力変換装置を下側から見た分解斜視図である。
【図１０】実施形態の蓄電システムが備える電力変換装置の一部を右側から見た断面図である。
【図１１】実施形態の蓄電システムを構成する蓄電装置の一部を右側から見た断面図である。
【図１２】図１２Ａは実施形態の蓄電システムを構成する蓄電装置において蓄電池モジュールが取り外された状態の要部拡大斜視図である。図１２Ｂは実施形態の蓄電システムを構成する蓄電装置において蓄電池モジュール及び取付台が取り外された状態の要部拡大斜視図である。
【図１３】実施形態の蓄電システムが備える取付台を下側から見た斜視図である。
【発明を実施するための形態】
【００１０】
以下、本実施形態に係る蓄電システムについて図面を参照して説明する。以下に説明する蓄電システムは、例えば、住宅のような建物で使用し、建物の屋内配線と電気的に接続する使用例を想定している。ただし、以下に説明する構成は本発明の一例にすぎない。本発明は、以下の実施形態に限定されず、本発明に係る技術的思想を逸脱しない範囲であれば、設計等に応じて種々の変更が可能である。
【００１１】
本実施形態の蓄電システムは、図１〜図４に示すように、複数個（本実施形態では例えば３個）の蓄電池モジュール１０と、電力変換装置２０と、収納箱１００とを備える。なお、本実施形態では、図１〜図４に矢印で示した上下、左右、前後の各方向を基準として説明を行う。
【００１２】
複数個の蓄電池モジュール１０の各々は、充電及び放電が可能な蓄電池を有している。蓄電池モジュール１０は、直列又は並列に接続された複数の蓄電池（例えばリチウムイオン電池など）を有している。蓄電池モジュール１０は、蓄電池のみを備える構成のほか、温度センサのようなセンサ類、蓄電池の特性データを格納したメモリ、蓄電池の充放電制御や異常監視を行う監視制御部、情報を伝送するための通信部などを備える構成でもよい。本実施形態では、蓄電池のほかに通信部を備える蓄電池モジュール１０を採用している。
【００１３】
本実施形態の蓄電池モジュール１０は、上下方向寸法及び左右方向寸法に比べて前後方向寸法が最も小さい箱型に形成されており、蓄電池モジュール１０は前後方向に並ぶように収納箱１００に収納されている。
【００１４】
電力変換装置２０は、複数個の蓄電池モジュール１０と電気的に接続されて電力変換を行う。電力変換装置２０は、交流電力を直流電力に変換して蓄電池モジュール１０を充電する。また、電力変換装置２０は、蓄電池モジュール１０から供給される直流電力を交流電力に変換する。本実施形態の電力変換装置２０はいわゆるパワーコンディショナであり、例えば建物内に設置された分電盤に接続され、分電盤を介して建物の屋内配線と電気的に接続されている。電力変換装置２０に入力される交流電力は、例えば分電盤を介して電力系統から供給され、電力変換装置２０から出力される交流電力は、例えば分電盤及び建物の屋内配線を通して電気負荷に供給される。
【００１５】
収納箱１００は、前面に開口部１０１が設けられた直方体状に形成されている。収納箱１００は、例えば戸建て住宅などの建物の外壁に後面（開口部１０１が設けられた前面と反対側の面）を対向させ、建物の外壁と後面との間に隙間を空けた状態で設置される。収納箱１００は、複数個（例えば３個）の蓄電池モジュール１０と、電力変換装置２０とを収納する。この収納箱１００は、上下方向の寸法が収納箱１００に比べて小さい箱型の台座３００に載せられて、設置場所に設置される。なお、台座３００の上面、下面及び後面はそれぞれ開口している。
【００１６】
収納箱１００の内部は、収納箱１００の内部空間において床板１０６から天井板１０８まで形成された隔壁１０３によって、右側の第１収納室１１０と左側の第２収納室１２０とに分けられている（図１〜図３参照）。さらに、左側の第２収納室１２０は、収納箱１００の内部空間において上下方向のほぼ中央に設けられた棚板１０４によって上側収納室１２１と下側収納室１２２とに分かれている（図１、図２及び図４参照）。
【００１７】
第１収納室１１０には、電力変換装置２０が収納されている。電力変換装置２０は、電力変換を行う回路が形成された回路基板と、回路基板などの部材を収納する角筒状のカバー２８とを有している。電力変換装置２０は第１収納室１１０の上側に配置されている。
【００１８】
本実施形態では、第１収納室１１０において電力変換装置２０の下側のスペースが外部配線スペース１１１となっている。外部配線スペース１１１は、電力変換装置２０と外部配線Ｗ１とを電気的に接続するための接続用のスペースである（図１参照）。収納箱１００の床板１０６には、外部配線スペース１１１に面した位置に、床板１０６を貫通する貫通孔１０７が設けられている。外部配線Ｗ１は、例えば台座３００の後側の開口から台座３００の内部を通り、床板１０６に設けられた貫通孔１０７を通して外部配線スペース１１１に導入される。外部配線Ｗ１の一端に設けられた第１コネクタＣＮ１は、外部配線スペース１１１に面して設けられた第２コネクタＣＮ２に接続される。外部配線Ｗ１の他端は、例えば分電盤を介して建物の屋内配線に電気的に接続されており、電力変換装置２０と屋内配線とが電気的に接続される。
【００１９】
第１コネクタＣＮ１及び第２コネクタＣＮ２は電力接続用の一般的なコネクタである。第２コネクタＣＮ２は、外部配線スペース１１１に面して設けられた取付板１１２に取り付けられている。第２コネクタＣＮ２には第１コネクタＣＮ１が着脱自在に接続される。第２コネクタＣＮ２において第１コネクタＣＮ１が接続される面の法線方向Ｄ１が前方下向きとなるように取付板１１２が第１収納室１１０（外部配線スペース１１１）に配置されている（図３参照）。すなわち、第２コネクタＣＮ２において第１コネクタＣＮ１が接続される面の法線方向Ｄ１が、前方下向きとなるように、第２コネクタＣＮ２が取付板１１２に取り付けられている。このように、第２コネクタＣＮ２において第１コネクタＣＮ１が取り付けられる面の法線方向Ｄ１が前方下向きであるので、法線方向Ｄ１が鉛直下向きの場合に比べて、第２コネクタＣＮ２に第１コネクタＣＮ１を接続する作業がしやすくなる。しかも、法線方向Ｄ１が前向きの場合に比べて、第２コネクタＣＮ２に第１コネクタＣＮ１を接続した状態で、外部配線Ｗ１の曲げ半径が大きくなるから、収納箱１００の内部での外部配線Ｗ１の取り回しが容易である。なお、本実施形態では外部配線Ｗ１と電力変換装置２０とがコネクタ接続されているが、電力変換装置２０は外部配線Ｗ１を結線する端子を備えていてもよい。
【００２０】
第２収納室１２０の上側収納室１２１及び下側収納室１２２には、それぞれ、２個ずつの蓄電池モジュール１０を収納可能な電池収納スペース１２３が設けられている（図４参照）。電池収納スペース１２３は、２個の蓄電池モジュール１０を前後方向に並べて収納することが可能である。上側収納室１２１及び下側収納室１２２の各々に設けた電池収納スペース１２３には、板金をプレス加工して形成された２個の取付台１３１が左右方向に間隔を開けて配置されている。蓄電池モジュール１０は、２個の取付台１３１にまたがるように載せられた状態で、例えば蓄電池モジュール１０に固定された金具を取付台１３１にネジなどで固定することによって、収納箱１００に取り付けられる。
【００２１】
なお、本実施形態では、上側収納室１２１の電池収納スペース１２３に２個の蓄電池モジュール１０が収納され、下側収納室１２２の電池収納スペース１２３に１個の蓄電池モジュール１０が収納されている。したがって、収納箱１００には合計３個の蓄電池モジュール１０が収納されている。本実施形態の収納箱１００は最大で４個の蓄電池モジュール１０が収納可能であって、下側収納室１２２の前部には１個分の蓄電池モジュール１０を収納可能な空間が残されている。したがって、下側収納室１２２の電池収納スペース１２３を利用して１個の蓄電池モジュール１０を増設することができる。
【００２２】
第２収納室１２０において、第２収納室１２０に収納される蓄電池モジュール１０と隔壁１０３との間のスペースは内部配線Ｗ２，Ｗ３，Ｗ４が配置される内部配線スペース１２４となっている（図２参照）。内部配線Ｗ２〜Ｗ４は、３個の蓄電池モジュール１０と電力変換装置２０とを電気的に接続するための電線であり、内部配線Ｗ２〜Ｗ４の各々は電力線と通信線とを有している。蓄電池モジュール１０は、電線が接続される第１接続端子と、第１接続端子に内部の配線を介して電気的に接続された送り配線用の第２接続端子とを備えている。なお、第１接続端子及び第２接続端子の各々は、電力線が接続される端子と、通信線が接続される端子とを含んでいる。
【００２３】
内部配線Ｗ２は、電力変換装置２０と１個目の蓄電池モジュール１０（例えば上側収納室１２１の後側に配置される蓄電池モジュール１０）との間を電気的に接続する配線である。内部配線Ｗ２の一端は電力変換装置２０に接続され、内部配線Ｗ２の他端は１個目の蓄電池モジュール１０の第１接続端子に接続されている。
【００２４】
内部配線Ｗ３は、１個目の蓄電池モジュール１０と２個目の蓄電池モジュール（例えば上側収納室１２１の前側に配置される蓄電池モジュール１０）との間を電気的に接続する配線である。内部配線Ｗ３の一端は１個目の蓄電池モジュール１０の第２接続端子に接続され、内部配線Ｗ３の他端は２個目の蓄電池モジュール１０の第１接続端子に接続されている。すなわち、２個目の蓄電池モジュール１０は、内部配線Ｗ３と１個目の蓄電池モジュール１０と内部配線Ｗ２とを介して、電力変換装置２０に電気的に接続されている。
【００２５】
内部配線Ｗ４は、２個目の蓄電池モジュール１０と３個目の蓄電池モジュール（例えば下側収納室１２２の後側に配置される蓄電池モジュール１０）との間を電気的に接続する配線である。内部配線Ｗ４の一端は２個目の蓄電池モジュール１０の第２接続端子に接続され、内部配線Ｗ４の他端は３個目の蓄電池モジュール１０の第１接続端子に接続されている。すなわち、３個目の蓄電池モジュール１０は、内部配線Ｗ４と２個目の蓄電池モジュール１０と内部配線Ｗ３と１個目の蓄電池モジュール１０と内部配線Ｗ２とを介して、電力変換装置２０に電気的に接続されている。
【００２６】
このように、内部配線Ｗ２〜Ｗ４を介して３個の蓄電池モジュール１０と電力変換装置２０との間が電気的に接続されている。電力変換装置２０は、３個の蓄電池モジュール１０の各々に制御信号を送信して、所望の蓄電池モジュール１０から放電させたり、所望の蓄電池モジュール１０を充電したりすることができる。
【００２７】
なお、本実施形態では、隔壁１０３が、第１収納室１１０と第２収納室１２０との間で内部配線Ｗ２を通すように貫通した通線部１０９を上部に有している（図２及び図５参照）。第１収納室１１０は、電力変換装置２０の下側に外部配線スペース１１１を有し、内部配線Ｗ２に設けられた第３コネクタが着脱自在に接続される第４コネクタＣＮ４が電力変換装置２０の上部に設けられている。内部配線Ｗ２は、通線部１０９を通して電力変換装置２０の上側に導入されるので、内部配線Ｗ２に設けられた第３コネクタを電力変換装置２０の第４コネクタＣＮ４に接続する作業を容易に行うことができる。また、電力変換装置２０と蓄電池モジュール１０との間を接続する内部配線Ｗ２のケーブル長が短くて済むから、内部配線Ｗ２を収納するために必要なスペースが小さくなる。なお、電力変換装置２０は、内部配線Ｗ２に設けられた第３コネクタが接続される第４コネクタＣＮ４を備えているが、内部配線Ｗ２を結線する端子を備えていてもよい。
【００２８】
また、電力変換装置２０は、図６Ａに示すように、第１接続部２１と、インバータ部２２と、第２接続部２３と、コイル部品２４１〜２４３とを備えている。本実施形態の電力変換装置２０は、図６Ｂに示すように、コントローラ２５を更に備えている。また、本実施形態の電力変換装置２０はヒートシンク２６とベース部材２７とカバー２８とを備え、カバー２８には送風装置２９が取り付けられている（図２、図３、図６Ａ及び図６Ｂ参照）。
【００２９】
第１接続部２１は、外部配線Ｗ１とインバータ部２２との間で電力の受け渡しを行う。第１接続部２１は、例えば高周波成分を減衰させるラインフィルタを備えてもよい。第１接続部２１は回路部品が実装されたプリント配線板のような回路基板２１１を有している。
【００３０】
第２接続部２３は、内部配線Ｗ２〜Ｗ４とインバータ部２２との間で電力の受け渡しを行う。第２接続部２３は、例えば絶縁トランスを有する絶縁型のＤＣ−ＤＣコンバータ回路を備えてもよい。第２接続部２３が備えるＤＣ−ＤＣコンバータ回路は、蓄電池モジュール１０の充電と放電が可能なように、双方向に電力変換を行う機能を有している。第２接続部２３は回路部品が実装されたプリント配線板のような回路基板２３１を有している。
【００３１】
インバータ部２２は、直流と交流との間で相互に電力変換を行う機能を有している。インバータ部２２は回路部品が実装されたプリント配線板のような回路基板２２１を有している。蓄電池モジュール１０の充電時は、インバータ部２２が、例えば分電盤から第１接続部２１を介して入力された交流電力を直流電力に変換して第２接続部２３に出力し、第２接続部２３が蓄電池モジュール１０に充電電流を供給する。蓄電池モジュール１０の放電時は、インバータ部２２が、蓄電池モジュール１０から第２接続部２３を介して入力された直流電力を交流電力に変換して第１接続部２１に出力し、第１接続部２１が分電盤及び屋内配線を介して電気負荷に交流電力を供給する。
【００３２】
また、電力変換装置２０はコイル部品を有しており、本実施形態では例えば３個のコイル部品２４１，２４２，２４３を有している。コイル部品２４１は、例えば第２接続部２３のＤＣ−ＤＣコンバータ回路が有する絶縁トランスである。コイル部品２４２は、例えばインバータ部２２が有する出力用のリアクトルである。コイル部品２４３は、例えば第１接続部２１が有するラインフィルタのリアクトルである。これらのコイル部品２４１，２４２，２４３は、一列に並ぶように樹脂製のケース２４４に収められ、１つのコイルブロック２４として構成されている。
【００３３】
ヒートシンク２６は、熱伝導性の良好な金属材料（例えばアルミ合金など）で形成されている。ヒートシンク２６は前面の形状が矩形状となる板状であり、ヒートシンク２６の後面には上下方向に沿って延びる板状のフィン２６１が複数設けられている。
【００３４】
ヒートシンク２６の前面には、第１接続部２１とインバータ部２２と第２接続部２３とコイルブロック２４とが取り付けられている。本実施形態では、第１収納室１１０が、電力変換装置２０の下側に外部配線スペース１１１を有しているので、外部配線Ｗ１が接続される第１接続部２１がヒートシンク２６の下側に配置されている。また、電力変換装置２０と蓄電池モジュール１０との間を電気的に接続する内部配線Ｗ２は、電力変換装置２０の上側に接続されるので、第２接続部２３はヒートシンク２６の上側に配置されている。インバータ部２２は、ヒートシンク２６の前面において、第１接続部２１と第２接続部２３との間であって、左右方向の片側（本実施形態では右側）に配置されている。そして、コイルブロック２４は、ヒートシンク２６の前面において、第１接続部２１と第２接続部２３との間であってインバータ部２２の左側に配置されている。コイルブロック２４がヒートシンク２６に取り付けられた状態では、コイルブロック２４が有する３つのコイル部品２４１〜２４３は、上側からコイル部品２４１、コイル部品２４２、コイル部品２４３の順番に並べられている。そして、一番上側のコイル部品２４１は、ヒートシンク２６の上側に配置された第１接続部２１に電気的に接続されている。上下方向の中央に位置するコイル部品２４２は、ヒートシンク２６の上下方向における中間部に配置されたインバータ部２２に電気的に接続されている。また、一番下側のコイル部品２４３は、ヒートシンク２６の下側に配置された第２接続部２３に電気的に接続されている。このように、３つのコイル部品２４１，２４２，２４３は、接続先の回路に近い位置に配置されているので、配線長を短くできる。また、ヒートシンク２６の前面において、蓄電池モジュール１０に接続される第１接続部２１が上側、外部回路に接続される第２接続部２３が下側に配置されているから、回路基板２１１，２２１，２３１の内部配線の配線長を短くできる。したがって、回路基板２１１，２２１，２３１の小型化を図ることができ、それによって電力変換装置２０の小型化を図ることができる。
【００３５】
ヒートシンク２６の前面には、金属製のベース部材２７が取り付けられている（図６Ｂ参照）。ベース部材２７は複数の部品を組み合わせて構成されている。ベース部材２７は、後ろ向きに突出する脚部２７１を備えている。この脚部２７１がヒートシンク２６にネジで固定されることによって、ベース部材２７がヒートシンク２６に取り付けられる。なお、ベース部材２７がヒートシンク２６に取り付けられた状態では、ベース部材２７の後面とヒートシンク２６の前面との間には、コイルブロック２４などの部品が配置されるスペースが設けられている。また、ベース部材２７の上端部から後側に突出する脚部２７１と、ベース部材２７の下端部から後側に突出する脚部２７１とには、各々の脚部２７１を上下方向に貫通する貫通孔２７２が設けられている。
【００３６】
そして、ベース部材２７の前面には、コントローラ２５を構成する制御部２５１と第１通信部２５２と第２通信部２５３とが取り付けられている。制御部２５１は、蓄電システムの全体的な制御を行う。第１通信部２５２は、蓄電池モジュール１０との間で通信を行う通信機能を有している。第２通信部２５３は、外部配線Ｗ１と分電盤と屋内配線とを介して、例えば建物内に設置された操作モニタとの間で通信を行う通信機能を有している。第２通信部２５３は、例えば操作モニタに蓄電池モジュール１０の情報（例えば充電状態や異常の有無などの情報）を送信したり、操作モニタから蓄電池モジュール１０の動作を制御する制御命令を受信したりする。制御部２５１と第１通信部２５２と第２通信部２５３とは、それぞれプリント配線基板に回路部品を実装して構成されている。ここで、ベース部材２７の前面の上側に第１通信部２５２が配置され、ベース部材２７の前面の下側に第２通信部２５３が配置されており、ベース部材２７の前面において、第１通信部２５２と第２通信部２５３との間に制御部２５１が配置されている。
【００３７】
ヒートシンク２６の前面側には、金属製のカバー２８が取り付けられている。カバー２８は、板金にプレス加工を施して形成されている（図８及び図９参照）。カバー２８は、矩形板状の前板部２８１と、前板部２８１の左側縁及び右側縁からそれぞれ後側に突出する側板部２８２とを有している。カバー２８は後面の全体及び下面のほぼ全体が開口した箱型であって、カバー２８の上面には通気孔２８６が設けられている。カバー２８の前板部２８１には、制御部２５１の調整部位（例えば制御部２５１が備えるマイクロコンピュータのソフトウエアを書き換えるために機器を接続する接続ポートなど）に対応して、前板部２８１を貫通する貫通部２８３が複数設けられている。カバー２８の前板部２８１には、複数の貫通部２８３を覆うようにして樹脂製のプレート２８５が取り付けられる（図２参照）。前板部２８１には、プレート２８５の四方の角部にそれぞれ対応する位置に、プレート２８５の角部が差し込まれる溝を有する受け部２８４が設けられている。プレート２８５をたわめながらプレート２８５の角部を受け部２８４の溝に差し込むことによって、プレート２８５がカバー２８の前板部２８１に取り付けられる。プレート２８５が前板部２８１に取り付けられた状態では、プレート２８５によって複数の貫通部２８３が塞がれるので、貫通部２８３からカバー２８の内部に塵などが入りにくくなる。また、プレート２８５を取り外せば、貫通部２８３が露出するので、貫通部２８３を通して接続ポートに機器を接続するなどして、制御部２５１の調整作業を行うことができる。
【００３８】
カバー２８の上面には、プロペラ部分が通気孔２８６に臨む位置にくるようにして送風装置２９が取り付けられている。送風装置２９のケース２９１の下面には、左右方向の両側縁に係合爪２９２が２個ずつ設けられている。係合爪２９２は、ケース２９１の下面から下方向に突出する縦片部分と、縦片部分の先端から横方向（左側又は右側）に突出する横片部分とを有し、前側から見た形状がＬ型に形成されている。なお、カバー２８の上面には、係合爪２９２が挿入される溝状の係合孔２８８が通気孔２８６の周りに４つ開口している。４つの係合孔２８８はそれぞれ前後方向に沿って延び、係合孔２８８の前半部分は係合孔２８８の後半部分に比べて左右方向の幅寸法が小さくなっている。係合孔２８８の後半部分の左右方向寸法は係合爪２９２の横片部分の左右方向寸法よりも大きい寸法に設定され、かつ、係合孔２８８の後半部分の前後方向寸法は係合爪２９２の横片部分の前後方向寸法よりも大きい寸法に設定されている。係合孔２８８の前半部分の左右方向寸法は、係合爪２９２の横片部分の左右方向寸法よりも小さく、かつ、係合爪２９２の縦片部分の左右方向寸法よりも大きい寸法に形成されている。
【００３９】
また、ケース２９１の前側の側壁２９５には、下側に開放されたＵ型の溝孔２９６が設けられている。ケース２９１は、側壁２９５よりも内側に、側面視の形状がＬ型に形成された撓み片２９４を有している。撓み片２９４の一部は溝孔２９６に臨んでおり、撓み片２９４の下面には下側に突出する爪片２９３が設けられている。
【００４０】
この送風装置２９は以下のようにしてカバー２８に取り付けられる。まず、送風装置２９のケース２９１をカバー２８の上面に上側から近づけて、係合爪２９２の横片部分を係合孔２８８の後半部分に挿入する。その後、ケース２９１をカバー２８に対して前側にスライド移動させると、係合爪２９２の縦片部分が係合孔２８８の前半部分に挿入される。これにより、係合爪２９２の横片部分とケース２９１との間で係合孔２８８の周縁部分が挟持され、送風装置２９のケース２９１がカバー２８に対して左右方向及び上下方向において位置決めされる。そして、係合孔２８８の前端に係合爪２９２の縦片部分が当たるまでケース２９１をカバー２８に対して前側に移動させると、爪片２９３がカバー２８の上面の孔２８９に掛かり合う。これにより、ケース２９１がカバー２８に対して前後方向において位置決めされ、送風装置２９のケース２９１がカバー２８に保持される。
【００４１】
なお、ケース２９１をカバー２８から取り外す場合は、ケース２９１の側壁２９５の溝孔２９６に指を入れて撓み片２９４の上部を押すと、撓み片２９４がたわめられて、爪片２９３が孔２８９の外側に出る。これにより、ケース２９１をカバー２８に対して後側に移動させることができ、ケース２９１をカバー２８から容易に取り外すことができる。なお、撓み片２９４は側壁２９５に設けられた溝孔２９６の奥に位置しているので、撓み片２９４の誤操作が起こりにくくなり、意図に反して送風装置２９がカバー２８から外れる事態が起こりにくくなる。
【００４２】
ところで、第１収納室１１０において電力変換装置２０の収納位置の後側には、収納箱１００の床板１０６から天井板１０８までダクト３０が設けられている（図５及び図７参照）。ダクト３０は、ダクト形成部材３１と、蓋部材３２，３３と、ヒートシンク２６とで角筒状に構成されている。
【００４３】
ダクト形成部材３１は、収納箱１００の背板部分に取り付けられる矩形板状の平板部３１１と、平板部３１１の左側縁及び右側縁からそれぞれ前方に突出する側板部３１２とを有している。また、ダクト形成部材３１は、左右の側板部３１２の前端からそれぞれ外向き（対向する側板部３１２と反対向き）に突出する鍔部３１３を有している。ダクト形成部材３１は、平板部３１１と側板部３１２と鍔部３１３とで、上側から見た形状が逆Ｕ型に形成されている。ダクト形成部材３１には、左右の鍔部３１３に架け渡されるようにして、蓋部材３２とヒートシンク２６と蓋部材３３とが上側から順番に取り付けられている。蓋部材３２とヒートシンク２６と蓋部材３３とでダクト形成部材３１の前側の開口が塞がれて、角筒状のダクト３０が形成され、ヒートシンク２６のフィン２６１はダクト３０内に配置される。そして、平板部３１１が収納箱１００の背板部分に取り付けられた状態では、平板部３１１及び蓋部材３３の下端が床板１０６に接触し、平板部３１１及び蓋部材３２の上端が天井板１０８に接触する（図３参照）。床板１０６には、ダクト３０の内部空間に臨む位置に、床板１０６を貫通する貫通孔１５１が設けられている。同様に、天井板１０８には、ダクト３０の内部空間に臨む位置に、天井板１０８を貫通する貫通孔１５２が設けられている。なお、収納箱１００の上側には扁平な直方体状の屋根部材４００が取り付けられている。屋根部材４００は、左右方向の寸法及び前後方向の寸法が収納箱１００とほぼ同じ寸法に形成されている。屋根部材４００の背板部分には、複数の貫通孔４０１が左右方向に等間隔に並ぶように開口している。なお、屋根部材４００はユーザインタフェース部４１０を前面に備えている。ユーザインタフェース部４１０は、例えば放電の開始／停止を指示するための操作スイッチや、蓄電池モジュール１０の動作状態（例えば蓄電池モジュール１０の充電状態や異常の有無など）を表示するための表示ランプなどを備えている。
【００４４】
ダクト３０内にはヒートシンク２６のフィン２６１が配置されているので、フィン２６１がダクト３０内の空気と熱交換を行うことによって、電力変換装置２０の構成部品で発生した熱がヒートシンク２６によって放熱される。フィン２６１と熱交換を行うことで暖められた空気は、ダクト３０内を上側に移動し、天井板１０８の貫通孔１５２と屋根部材４００の貫通孔４０１とを通って外部に出る。ダクト３０内の空気が暖められて上側に移動し、天井板１０８の貫通孔１５２からダクト３０の外側に出て行くと、床板１０６の貫通孔１５１からダクト３０の内部に外気が吸い込まれ、ダクト３０に吸い込まれた外気とフィン２６１との間で熱交換が行われる。このように、ダクト３０内に対流が発生し、ダクト３０に吸い込まれた外気とフィン２６１との間で継続的に熱交換が行われるから、電力変換装置２０の構成部品で発生した熱をヒートシンク２６によって継続的に放熱することができる。
【００４５】
また、電力変換装置２０が備えるカバー２８の上部には、カバー２８を上下方向に貫通する通気孔２８６が設けられている（図８参照）。カバー２８の下部には、カバー２８を上下方向に貫通する通気孔２８７が設けられている（図９参照）。これにより、カバー２８の外部から、カバー２８の下部の通気孔２８７を通ってカバー２８の内部に入り、カバー２８の上部の通気孔２８６からカバー２８の外部に出る空気の通り道ができる。
【００４６】
また、カバー２８の上部に設けられた通気孔２８６には、カバー２８内の空気を上側に流す送風装置２９が取り付けられている（図５、図８及び図９参照）。送風装置２９は、カバー２８の内部から空気を吸い込み、上側へと送風する。送風装置２９から上側に送風された空気は、第１収納室１１０においてカバー２８の外側の空間（カバー２８の左側、右側又は前側の空間）を通って下側に流れ、カバー２８の下部の通気孔２８７からカバー２８の内部に流れ込む。図２中の二点鎖線Ｄ２は空気の流れの一例を示している。このように、送風装置２９によって、カバー２８の上部の通気孔２８７から吸い出された空気が冷却されながら下側に移動する。そして、カバー２８の下部の通気孔２８７からカバー２８内に吸い込まれた空気が、カバー２８内を上方に移動しながら、電力変換装置２０の回路部品を冷却するので、ヒートシンク２６による放熱と相まって、回路部品の温度上昇を抑制することができる。
【００４７】
収納箱１００の開口部１０１には金属製の蓋２００がネジ２０１を用いて固定される。収納箱１００は、開口部１０１の周縁部分から前方に突出する側板部１４１と、側板部１４１の前端部から開口部１０１と反対向き（すなわち開口部１０１から離れる向き）に突出するフランジ部１４２とを有している（図１、図３、図４及び図１１参照）。フランジ部１４２の前側には、フランジ部１４２の全周にわたってパッキン１４３が接着などの方法で取り付けられている。
【００４８】
蓋２００は、設置状態における上端部から後側に突出する突出片２０２と、突出片２０２から下向きに突出する樹脂製の突起部２０３とを有している。蓋２００の前板部分２０４と突起部２０３との間には、フランジ部１４２が挿入される隙間２０５が設けられている。
【００４９】
蓋２００は以下のようにして収納箱１００に取り付けられる。フランジ部１４２の上に突起部２０３を載せた状態で、蓋２００を後側に移動させると、突起部２０３と前板部分２０４との間の隙間２０５にフランジ部１４２が挿入された状態で、蓋２００が収納箱１００に仮保持される。この状態で、蓋２００と収納箱１００のフランジ部１４２とをネジ２０１で結合することによって、蓋２００が収納箱１００に取り付けられる。蓋２００が収納箱１００に取り付けられた状態では、蓋２００の前板部分２０４とフランジ部１４２との接触部分にできる隙間がパッキン１４３で塞がれる。したがって、前板部分２０４とフランジ部１４２との接触部分にできる隙間を通って水などの異物が収納箱１００の内部に入りにくくなる。
【００５０】
ところで、収納箱１００の床板１０６は、蓄電池モジュール１０の取付台１３１が配置される部位に水抜き用の貫通孔１３５を備えていてもよい（図１２Ｂ参照）。取付台１３１は、図１２Ａ及び図１３に示すように、板金を折り曲げることによって形成されており、矩形板状の天板１３２と、天板１３２の左右両側縁からそれぞれ下向きに突出するＬ型の脚片１３３とを一体に備えている。取付台１３１は、左右の脚片１３３を床板１０６に載せた状態で、例えばネジなどの締結部材で床板１０６に固定されている。そして、床板１０６の貫通孔１３５にかぶさるように配置される脚片１３３には、脚片１３３の下面の一部をくぼませることによって一端側が開放された溝部１３４が設けられている（図１３参照）。したがって、収納箱１００の内部に水が入り込んで床板１０６の上に水がたまったとしても、床板１０６の上にたまった水は溝部１３４を通って貫通孔１３５から外部に排水されるから、収納箱１００の内部に水がたまりにくくなる。また、床板１０６の貫通孔１３５は溝部１３４の奥に位置しているから、収納箱１００の外部から塵などが貫通孔１３５を通して収納箱１００の内部に入りにくくなる。なお、本実施形態では溝部１３４が直線状であるが、溝部１３４は円弧状に湾曲しても良いし、クランク状の曲がり部を途中に備えていてもよい。
【００５１】
なお本実施形態の収納箱１００は、右側に第１収納室１１０、左側に第２収納室１２０を備えているが、第１収納室１１０を左側に、第２収納室１２０を右側に備えてもよい。また、第２収納室１２０には、蓄電池モジュール１０をそれぞれ収納する上側収納室１２１と下側収納室１２２とが上下に２つあるが、蓄電池モジュールの収納室が上下方向に並んで３つ以上あってもよい。また、上側収納室１２１及び下側収納室１２２は、２つの蓄電池モジュール１０を前後方向に並べて収納可能な電池収納スペース１２３を有しているが、３つ以上の蓄電池モジュール１０を前後方向に並べて収納可能な電池収納スペース１２３を有してもよい。第２収納室１２０に設けられた蓄電池モジュール１０の収納室の数や、各々の収納室に設けられた電池収納スペース１２３の数は蓄電池モジュール１０の大きさなどの条件で適宜変更が可能である。
【００５２】
また、第１収納室１１０において、電力変換装置２０の下側に外部配線スペース１１１があるが、電力変換装置２０の上側に外部配線スペース１１１があってもよい。この場合、電力変換装置２０では、上側から第１接続部２１、インバータ部２２，第２接続部２３の順番で並ぶように、第１接続部２１とインバータ部２２と第２接続部２３とが配置されていればよい。そして、第２接続部２３と蓄電池モジュール１０との間を電気的に接続する内部配線は、隔壁１０３の下部に設けられた貫通孔を通して配線されていればよい。
【００５３】
以上説明したように、本実施形態の蓄電システムは、蓄電池モジュール１０と、電力変換装置２０と、収納箱１００とを備える。蓄電池モジュール１０は蓄電池を有している。電力変換装置２０は、蓄電池モジュール１０に電気的に接続されている。収納箱１００は、前面に開口部１０１を有し、蓄電池モジュール１０と電力変換装置２０とを収納する。収納箱１００は、左右方向に並んだ第１収納室１１０と第２収納室１２０とを有している。第１収納室１１０には電力変換装置２０が収納され、第２収納室１２０には蓄電池モジュール１０が収納される。第１収納室１１０は、電力変換装置２０の上側又は下側に、電力変換装置２０と外部配線Ｗ１とを電気的に接続する外部配線スペース１１１を有している。第２収納室１２０は、上下方向に並ぶ上側収納室１２１と下側収納室１２２とを備えている。上側収納室１２１及び下側収納室１２２の各々は、蓄電池モジュール１０を前後方向に複数個並べて収納可能な電池収納スペース１２３を有している。
【００５４】
第２収納室は上側収納室１２１と下側収納室１２２とに分かれ、上側収納室１２１及び下側収納室１２２の電池収納スペース１２３には蓄電池モジュール１０が前後方向に並べて収納されるので、収納箱１００の前後方向寸法を小さくできる。また、第１収納室１１０には電力変換装置２０の収納スペースと外部配線スペース１１１とが上下に設けられているので、収納箱１００の蓄電池モジュール１０と電力変換装置２０と外部配線Ｗ１とを纏りよく配置できる。したがって、収納箱１００の上下方向寸法及び左右方向寸法を小さくしながら、複数個の蓄電池モジュール１０を前後方向に並べて収納することで、蓄電システムの小型化を実現できる（すなわち、上下方向寸法及び左右方向寸法を小さくできる）。
【００５５】
なお、本実施形態では、蓄電池モジュール１０の１個分の高さ方向寸法は、電力変換装置２０の高さ方向寸法よりも小さく、蓄電池モジュール１０の２個分の高さ方向寸法は、電力変換装置２０の高さ方向寸法よりも大きい。また、蓄電池モジュール１０の１個分の前後方向寸法は、電力変換装置２０の前後方向寸法よりも小さく、蓄電池モジュール１０の２個分の前後方向寸法は、電力変換装置２０の前後方向寸法よりも大きい。したがって、収納箱１００は、蓄電池モジュール１０を収納する上側収納室１２１及び下側収納室１２２を上下に２つ備え、上側収納室１２１及び下側収納室１２２において電池収納スペース１２３を前後方向に並べて２箇所に有している。これにより、収納箱１００の内部に無駄な空きスペースができにくくなり、収納箱１００の小型化を実現できる。
【００５６】
本実施形態の蓄電システムにおいて、収納箱１００は、第１収納室１１０と第２収納室１２０との間に隔壁１０３を有してもよい。第２収納室１２０は、隔壁１０３と電池収納スペース１２３との間に、電力変換装置２０と蓄電池モジュール２０とを電気的に接続する内部配線Ｗ２〜Ｗ４が配置される内部配線スペース１２４を更に有してもよい。
【００５７】
これにより、隔壁１０３と蓄電池モジュール１０との間のスペースを内部配線スペース１２４として、この内部配線スペース１２４にまとまりよく内部配線Ｗ２〜Ｗ４を収納できる。
【００５８】
本実施形態の蓄電システムにおいて、第１収納室１１０は、電力変換装置２０の下側に外部配線スペース１１１を有し、隔壁１０３は、第１収納室１１０と第２収納室１２０との間で内部配線Ｗ２を通すように貫通した通線部１０９を上部に有してもよい。
【００５９】
これにより、第１収納室１１０において外部配線Ｗ１と内部配線Ｗ２とが上下に分かれて配置されるから、外部配線Ｗ１と内部配線Ｗ２とをまとまりよく配置することができる。
【００６０】
本実施形態の蓄電システムにおいて、外部配線Ｗ１に設けられた第１コネクタＣＮ１が着脱自在に接続される第２コネクタＣＮ２が外部配線スペース１１１の上部に配置されてもよい。そして、第２コネクタＣＮ２において第１コネクタＣＮ１を接続する面の法線方向Ｄ１が前方下向きとなるように第２コネクタＣＮ２が設けられてもよい。
【００６１】
このように、第２コネクタＣＮ２において第１コネクタＣＮ１を接続する面の法線方向Ｄ１が前方下側を向いているので、鉛直下向きとなっている場合に比べて、外部配線Ｗ１の第１コネクタＣＮ１を第２コネクタＣＮ２に接続する作業がやりやすくなる。したがって、第２コネクタＣＮ２の取付位置を下げても、第２コネクタＣＮ２に第１コネクタＣＮ１を接続する作業がやりやすいから、第２コネクタＣＮ２の取付位置を下にして、外部配線スペース１１１を小さくすることで、収納箱１００の小型化を実現できる。
【００６２】
本実施形態の蓄電システムにおいて、電力変換装置２０は第１接続部２１とインバータ部２２と第２接続部２３とコイル部品２４とを有してもよい。第１接続部２１は、外部配線Ｗ１とインバータ部２２との間で電力の受け渡しを行う。第２接続部２２は、蓄電池モジュール１０とインバータ部２０との間で電力の受け渡しを行う。インバータ部２２は、外部配線Ｗ１及び第１接続部２１を介して入力された交流電力を直流電力に変換した後に第２接続部２３を介して直流電力を蓄電池モジュール１０に出力する動作が可能なように構成される。また、インバータ部２２は、蓄電池モジュール１０から第２接続部２３を介して入力された直流電力を交流電力に変換した後に、第１接続部２１及び外部配線Ｗ１を介して交流電力を出力する動作が可能なように構成される。第１接続部２１とインバータ部２２と第２接続部２３とは、第１収納室１１０において、外部配線スペース１１１に近い位置から第１接続部２１、インバータ部２２、第２接続部２３の順番で、上下方向に並ぶように配置される。そして、コイル部品２４１〜２４３は、インバータ部２２の左側又は右側（本実施形態ではインバータ部２２の左側）に配置されている。
【００６３】
このように、外部配線スペース１１１に近い位置から第１接続部２１、インバータ部２２、第２接続部２３の順番で上下方向に並べて配置されているので、第１接続部２１とインバータ部２２と第２接続部２３とを含む回路において配線の長さを短くできる。また、電力変換装置２０の左右方向寸法を上下方向寸法に比べて小さくできるから、全体として収納箱１００の左右方向寸法を小さくできる。また、コイル部品２４１〜２４３はインバータ部２２の左側又は右側に配置されているので、第１接続部２１とインバータ部２２と第２接続部２３とを含む回路に接続されるコイル部品２４１〜２４３の配線長を短くできるという利点もある。
【００６４】
本実施形態の蓄電システムにおいて、電力変換装置２０はコントローラ２５を更に備えてもよい。コントローラ２５は、インバータ部２２の動作を制御する制御機能（制御部２５１）と通信機能（第２通信部２５３）とを有している。コントローラ２５は、第１収納室１１０の内部において、第１接続部２１、インバータ部２２及び第２接続部２３よりも前側に配置されている。
【００６５】
このように、コントローラ２５は、第１接続部２１、インバータ部２２及び第２接続部２３よりも前側に配置されているので、電力変換装置２０の左右方向寸法を小さくでき、全体として収納箱１００の左右方向寸法を小型化できる。
【００６６】
本実施形態の蓄電システムにおいて、電力変換装置２０がヒートシンク２６とベース部材２７とを更に備えてもよい。インバータ部２２が実装された回路基板２２１と、コイル部品２４１〜２４３とが、それぞれヒートシンク２６に熱的に結合された状態で取り付けられる。コントローラ２５がベース部材２７の前側に取り付けられ、ヒートシンク２６に取り付けられた回路基板２２１及びコイル部品２４がベース部材２７の後側に配置されている。
【００６７】
このように、インバータ部２２が実装された回路基板２２１と、コイル部品２４１〜２４３とがヒートシンク２６に取り付けられており、ヒートシンク２６を電力変換装置２０のケースの一部としているので、小型化を図ることができる。また、ヒートシンク２６にインバータ部２２の回路基板２２１やコイル部品２４１〜２４３が熱的に結合されているので、回路基板２２１やコイル部品２４１〜２４３で発生した熱を効率よく放熱することができる。また、インバータ部２２の回路基板２２１及びコイル部品２４１〜２４３と、コントローラ２５との間にはベース部材２７が配置されているので、インバータ部２２やコイル部品２４１〜２４３で発生したノイズがコントローラ２５に与える影響を低減できる。
【００６８】
本実施形態の蓄電システムにおいて、電力変換装置２０がカバー２８を更に備えてもよい。カバー２８は箱型に形成されて、第１接続部２１とインバータ部２２と第２接続部２３とコントローラ２５とを覆っている。カバー２８の前面には、コントローラ２５の調整部位に対応して、カバーを貫通する貫通部２８３が設けられている。
【００６９】
このように、カバー２８が、第１接続部２１とインバータ部２２と第２接続部２３とベース部材２７とコントローラ２５とを覆っているので、充電部に誤って触れる可能性を低減できる。また、貫通部２８３を通してコントローラ２５の調整作業を行うことができるから、安全に調整作業を行うことができる。
【００７０】
本実施形態の蓄電システムにおいて、カバー２８の上部には通気孔２８６が設けられ、カバー２８の下部には通気孔２８７が設けられてもよい。
【００７１】
これにより、下部の通気孔２８７からカバー２８の内部を通って上部の通気孔２８６から外に抜ける空気の流れができるから、空気の対流によってカバー２８内の温度の上昇を抑制することができる。
【００７２】
本実施形態の蓄電システムにおいて、カバー２８の上部及び下部にそれぞれ設けられた通気孔２８６，２８７のうち少なくとも１つの通気孔（本実施形態では上部の通気孔２８６）にはカバー２８内の空気を上側に流す送風装置２９が取り付けられてもよい。カバー２８には送風装置２９の取付面に係合孔２８８が設けられる。送風装置２９のケース２９１は、カバー２８における係合孔２８８の周縁部分と掛かり合う係合爪２９２を有している。係合孔２８８は、係合孔２８８の一端部に挿入された係合爪２９２が係合孔２８８の他端部へとスライド移動することで、カバー２８における係合孔２８８の周縁部分に係合爪が掛かり合うような形状に形成されている。
【００７３】
このように、係合爪２９２を係合孔２８８に掛け合わせることで、送風装置２９のケース２９１がカバー２８に取り付けられるので、ネジなどの締結部品を用いることなく、送風装置２９をカバー２８に取り付けることができる。また、係合爪２９２と係合孔２８８とが互いに掛かり合う方向に電力変換装置２０の重量が作用する方向であれば、送風装置２９のケース２９１を取っ手にして電力変換装置２０を持つことができ、電力変換装置２０の持ち運びがしやすくなる。
【００７４】
本実施形態の蓄電システムにおいて、収納箱１００に着脱自在に取り付けられ、収納箱１００に取り付けられた状態で開口部１０１を閉塞する蓋２００を更に備えてもよい。収納箱１００は、開口部１０１の周縁部分から前方に突出する側板部１４１と、側板部１４１の前端部より開口部１０１から離れる向きに突出するフランジ部１４２とを有する。蓋２００は、上端部から後向きに突出する突出片２０２と、突出片２０２から下向きに突出する突起部２０３とを有する。蓋２００は、蓋２００の前板部分２０４と突起部２０３との間の隙間２０５にフランジ部１４２が挿入されるようにして収納箱１００に取り付けられる。
【００７５】
このように、突起部２０３と前板部分２０４との間の隙間２０５にフランジ部１４２が挿入されるように、蓋２００を収納箱１００に取り付けることで、蓋２００を収納箱１００に仮保持させることができる。
【符号の説明】
【００７６】
１０  蓄電池モジュール
２０  電力変換装置
２１  第１接続部
２２  インバータ部
２３  第２接続部
２４  コイルブロック
２５  コントローラ
２６  ヒートシンク
２７  ベース部材
２８  カバー
２９  送風装置
１００  収納箱
１０１  開口部
１０３  隔壁
１０９  通線部
１１０  第１収納室
１１１  外部配線スペース
１１２  取付板
１２０  第２収納室
１２１  上側収納室
１２２  下側収納室
１２３  電池収納スペース
１２４  内部配線スペース
１４１  側板部
１４２  フランジ部
２００  蓋
２０２  突出片
２０３  突起部
２０４  前板部分
２０５  隙間
２４１〜２４３  コイル部品
２５１  制御部（制御機能）
２５３  第２通信部（通信機能）
２８６，２８７  通気孔
２８８  係合孔
２９１  ケース
２９２  係合爪
ＣＮ１  第１コネクタ
ＣＮ２  第２コネクタ
Ｄ１  法線方向
Ｗ１  外部配線
Ｗ２〜Ｗ４  内部配線
【図１】
2016219283.tif 000003
【図２】
2016219283.tif 000004
【図３】
2016219283.tif 000005
【図４】
2016219283.tif 000006
【図５】
2016219283.tif 000007
【図６】
2016219283.tif 000008
【図７】
2016219283.tif 000009
【図８】
2016219283.tif 000010
【図９】
2016219283.tif 000011
【図１０】
2016219283.tif 000012
【図１１】
2016219283.tif 000013
【図１２】
2016219283.tif 000014
【図１３】
2016219283.tif 000015